(57)【要約】【課題】中和剤が全て消費された完全消費状態を即座に判断して、中和剤の残量を簡単に管理することができる中和処理器を提供する。【解決手段】一対のｐＨセンサＳ１、Ｓ２の一方を未処理液Ｄ１のｐＨ値を検出するように配し、一対のｐＨセンサＳ１、Ｓ２の他方を中和剤Ｎ１が充填される収容部８５の下端におけるｐＨ値を検出するように配したので、一対のｐＨセンサＳ１、Ｓ２がそれぞれ検出した両ｐＨ値が異なる場合に、一対のｐＨセンサＳ１、Ｓ２の他方が検出するｐＨ値は、処理済み液Ｄ２のｐＨ値であることが判り、反対に、一対のｐＨセンサＳ１、Ｓ２がそれぞれ検出した両ｐＨ値が同じ場合に、一対のｐＨセンサＳ１、Ｓ２の他方が検出するｐＨ値は、未処理液Ｄ１のｐＨ値であることが判り、収容部の下端に中和剤Ｎ１が存在してなく、中和剤Ｎ１の全てが消費された完全消費状態であることを判断することができるようにした。【選択図】図１
2005087823.tif 000002
【特許請求の範囲】
【請求項１】
酸性の未処理液を中和剤で処理するようにした中和処理器において、
前記中和剤が充填される収容部を有し、前記酸性の未処理液が上部から流入し前記中和剤と反応して中和され、該中和された処理済み液が下部から流出する処理槽と、前記未処理液あるいは前記処理済み液のｐＨ値を検出するための一対のｐＨセンサとを備え、
前記一対のｐＨセンサの一方は、前記未処理液のｐＨ値を検出するように配され、
前記一対のｐＨセンサの他方は、前記収容部の下端における前記ｐＨ値を検出し、該ｐＨ値と前記未処理液のｐＨ値とを比較することで前記中和剤が全て消費された完全消費状態であるか否かを判断することができるように配されていることを特徴とする中和処理器。
【請求項２】
酸性の未処理液を中和剤で処理するようにした中和処理器において、
前記中和剤が充填される収容部を有し、前記酸性の未処理液が上部から流入し前記中和剤と反応して中和され、該中和された処理済み液が下部から流出する処理槽と、前記処理済み液が下部から流入して上部から流出するようにした処理済み槽と、前記未処理液あるいは前記処理済み液のｐＨ値を検出するための一対のｐＨセンサとを備え、
前記一対のｐＨセンサの一方は、前記未処理液のｐＨ値を検出するように配され、
前記一対のｐＨセンサの他方は、前記収容部の下端における前記ｐＨ値を検出し、該ｐＨ値と前記未処理液のｐＨ値とを比較することで前記中和剤が全て消費された完全消費状態であるか否かを判断することができるように配されていることを特徴とする中和処理器。
【請求項３】
燃料を燃焼させた際に排気中に酸性の水分が生じ、あるいは、燃料を燃焼させたときの排気の熱を吸収することで酸性の凝縮水が生じるような熱交換装置において、
前記酸性の水分あるいは前記酸性の凝縮水である未処理液を中和剤で処理するようにした中和処理器を備え、
前記中和処理器は、前記中和剤が充填される収容部を有し、前記酸性の未処理液が上部から流入し前記中和剤と反応して中和され、該中和された処理済み液が下部から流出する処理槽と、前記処理済み液が下部から流入して上部から流出するようにした処理済み槽と、前記未処理液あるいは前記処理済み液のｐＨ値を検出するための一対のｐＨセンサとを備え、
前記一対のｐＨセンサの一方は、前記未処理液のｐＨ値を検出するように配され、
前記一対のｐＨセンサの他方は、前記収容部の下端における前記ｐＨ値を検出し、前記未処理液のｐＨ値とを比較することで前記中和剤が全て消費された完全消費状態であるか否かを判断することができるように配されていることを特徴とする熱交換装置。
【請求項４】
燃料に空気を混合して燃焼させた際に生じる排気の流れる排気経路内に、排気の顕熱を吸収して被加熱流体を加熱する一次熱交換器を配置し、さらに該一次熱交換器よりも前記排気経路の下流側に排気の潜熱を回収する二次熱交換器を配置して成る熱交換装置において、
前記二次熱交換器に生成する凝縮水である酸性の未処理液を溜めるためのドレン受けと、該ドレン受けに溜められた未処理液を排出するための排出通路と、該排出通路の途中に配された中和処理器を備え、
前記中和処理器は、前記中和剤が充填される収容部を有し、前記酸性の未処理液が上部から流入し前記中和剤と反応して中和され、該中和された処理済み液が下部から流出する処理槽と、前記処理済み液が下部から流入して上部から流出するようにした処理済み槽と、前記未処理液あるいは前記処理済み液のｐＨ値を検出するための一対のｐＨセンサとを備え、
前記一対のｐＨセンサの一方は、前記未処理液のｐＨ値を検出するように配され、
前記一対のｐＨセンサの他方は、前記収容部の下端における前記ｐＨ値を検出し、該ｐＨ値と前記未処理液のｐＨ値とを比較することで前記中和剤が全て消費された完全消費状態であるか否かを判断することができるように配されていることを特徴とする熱交換装置。
【請求項５】
前記処理槽と前記処理済み槽とを交互にして連ねることで、前記未処理液を中和するための中和処理流路を備え、
前記中和処理流路は、上流側の処理槽から下流側の処理槽の順番に該処理槽に充填されている中和剤が消費されるように形成され、
前記一対のｐＨセンサの一方は、前記未処理液のｐＨ値を検出するように配され、
前記一対のｐＨセンサの他方は、最も下流側の処理槽に係る前記収容部の下端における前記ｐＨ値を検出し、該ｐＨ値と前記未処理液のｐＨ値とを比較することで、前記中和処理流路における中和剤が全て消費された完全消費状態であるか否かを判断することができるように配されていることを特徴とする請求項２に記載の中和処理器。
【請求項６】
前記一対のｐＨセンサの一方は、前記処理済み槽の上端部における前記ｐＨ値を検出するように配されていることを特徴とする請求項２に記載の中和処理器。
【請求項７】
前記一対のｐＨセンサの一方は、前記処理槽の上端部における前記ｐＨ値を検出するように配されていることを特徴とする請求項１または２に記載の中和処理器。
【発明の詳細な説明】
【技術分野】
【０００１】
本発明は、酸性の未処理液を中和するための中和処理器に関し、特に、燃料に空気を混合して燃焼させた際に生じる排気の流れる排気経路内に、排気の顕熱を吸収して被加熱流体を加熱する一次熱交換器を配置し、さらに該一次熱交換器よりも前記排気経路の下流側に排気の潜熱を回収する二次熱交換器を配置して成る熱交換装置に中和処理器を備えたものに関する。
【背景技術】
【０００２】
従来の中和処理器としては、バーナの燃焼排ガスを露点以下になるまで熱交換させるようにした熱交換器を有し、熱交換器で発生したドレンを排出するためのドレン排出管とドレン排出管の途中に設けられた中和槽とを備えた給湯装置であって、中和槽の上流と下流にドレンのｐＨ値を検出するｐＨセンサをそれぞれ設けると共に、ｐＨセンサによる定期的なｐＨ検出を行い、両検出ｐＨ値の差が予め定めた一定範囲内に入ると、中和槽内の中和剤の量が減少してきたと判断し、且つ前記ｐＨ値の連続低下の傾向から中和槽の交換或いは中和剤の補充をすべき時期を判断して、報知を行うものがある（例えば、特許文献１参照。）。
【０００３】
具体的には、中和槽の上流と下流におけるドレンの両ｐＨ値の差の曲線を作成しておき、その曲線において、両ｐＨ値の差が比較的大きな値となる領域（ａ領域）、両ｐＨ値の差が連続して低下する連続低下領域（ｂ領域）および、両ｐＨ値の差がない領域（ｃ領域）を設定し、両ｐＨ値の差がａ〜ｃのどの領域に入っているかを常時監視し、記憶部に予め記憶された両ｐＨ値の差と中和剤の残量との関係に基づいて、中和剤の残量が得られるようになっている。
【０００４】
【特許文献１】特開２００１−１２４４１５号公報
【発明の開示】
【発明が解決しようとする課題】
【０００５】
しかしながら、従来の技術では、両ｐＨ値の差が連続低下領域（ｂ領域）に入ると、両ｐＨ値の差と中和剤の残量との前記関係に基づいて、中和剤の残量を得て、これを段階表示あるいは無段階表示するものであり、中和剤の残量を報知する手段が複雑で、コストが嵩む要因になり、また、両ｐＨ値の差の曲線において、連続低下領域（ｂ領域）と、ｃ領域との境界が必ずしも明確でなく、中和剤が全て消費された完全消費状態であるか否かを即座に判断することができないという問題点があった。
【０００６】
本発明は、このような従来の技術が有する問題点に着目してなされたもので、中和剤が全て消費された完全消費状態を即座に判断して、中和剤の残量を簡単に管理することができる中和処理器を提供することを目的としている。
【課題を解決するための手段】
【０００７】
かかる目的を達成するための本発明の要旨とするところは、次の各項の発明に存する。
［１］酸性の未処理液（Ｄ１）を中和剤（Ｎ１）で処理するようにした中和処理器（８０）において、
前記中和剤（Ｎ１）が充填される収容部（８５）を有し、前記酸性の未処理液（Ｄ１）が上部から流入し前記中和剤（Ｎ１）と反応して中和され、該中和された処理済み液（Ｄ２）が下部から流出する処理槽（８３）と、前記未処理液（Ｄ１）あるいは前記処理済み液（Ｄ２）のｐＨ値を検出するための一対のｐＨセンサ（Ｓ１、Ｓ２）とを備え、
前記一対のｐＨセンサ（Ｓ１、Ｓ２）の一方は、前記未処理液（Ｄ１）のｐＨ値を検出するように配され、
前記一対のｐＨセンサ（Ｓ１、Ｓ２）の他方は、前記収容部（８５）の下端における前記ｐＨ値を検出し、該ｐＨ値と前記未処理液（Ｄ１）のｐＨ値とを比較することで前記中和剤（Ｎ１）が全て消費された完全消費状態であるか否かを判断することができるように配されていることを特徴とする中和処理器（８０）。
【０００８】
［２］酸性の未処理液（Ｄ１）を中和剤（Ｎ１）で処理するようにした中和処理器（８０）において、
前記中和剤（Ｎ１）が充填される収容部（８５）を有し、前記酸性の未処理液（Ｄ１）が上部から流入し前記中和剤（Ｎ１）と反応して中和され、該中和された処理済み液（Ｄ２）が下部から流出する処理槽（８３）と、前記処理済み液（Ｄ２）が下部から流入して上部から流出するようにした処理済み槽（８４）と、前記未処理液（Ｄ１）あるいは前記処理済み液（Ｄ２）のｐＨ値を検出するための一対のｐＨセンサ（Ｓ１、Ｓ２）とを備え、
前記一対のｐＨセンサ（Ｓ１、Ｓ２）の一方は、前記未処理液（Ｄ１）のｐＨ値を検出するように配され、
前記一対のｐＨセンサ（Ｓ１、Ｓ２）の他方は、前記収容部（８５）の下端における前記ｐＨ値を検出し、該ｐＨ値と前記未処理液（Ｄ１）のｐＨ値とを比較することで前記中和剤（Ｎ１）が全て消費された完全消費状態であるか否かを判断することができるように配されていることを特徴とする中和処理器（８０）。
【０００９】
［３］燃料を燃焼させた際に排気中に酸性の水分が生じ、あるいは、燃料を燃焼させたときの排気の熱を吸収することで酸性の凝縮水が生じるような熱交換装置（１０）において、
前記酸性の水分あるいは前記酸性の凝縮水である未処理液（Ｄ１）を中和剤（Ｎ１）で処理するようにした中和処理器（８０）を備え、
前記中和処理器（８０）は、前記中和剤（Ｎ１）が充填される収容部（８５）を有し、前記酸性の未処理液（Ｄ１）が上部から流入し前記中和剤（Ｎ１）と反応して中和され、該中和された処理済み液（Ｄ２）が下部から流出する処理槽（８３）と、前記処理済み液（Ｄ２）が下部から流入して上部から流出するようにした処理済み槽（８４）と、前記未処理液（Ｄ１）あるいは前記処理済み液（Ｄ２）のｐＨ値を検出するための一対のｐＨセンサ（Ｓ１、Ｓ２）とを備え、
前記一対のｐＨセンサ（Ｓ１、Ｓ２）の一方は、前記未処理液（Ｄ１）のｐＨ値を検出するように配され、
前記一対のｐＨセンサ（Ｓ１、Ｓ２）の他方は、前記収容部（８５）の下端における前記ｐＨ値を検出し、前記未処理液（Ｄ１）のｐＨ値とを比較することで前記中和剤（Ｎ１）が全て消費された完全消費状態であるか否かを判断することができるように配されていることを特徴とする熱交換装置（１０）。
【００１０】
［４］燃料に空気を混合して燃焼させた際に生じる排気の流れる排気経路内に、排気の顕熱を吸収して被加熱流体を加熱する一次熱交換器（４０）を配置し、さらに該一次熱交換器（４０）よりも前記排気経路の下流側に排気の潜熱を回収する二次熱交換器（５０）を配置して成る熱交換装置（１０）において、
前記二次熱交換器（５０）に生成する凝縮水である酸性の未処理液（Ｄ１）を溜めるためのドレン受け（１４ａ）と、該ドレン受け（１４ａ）に溜められた未処理液（Ｄ１）を排出するための排出通路（１８）と、該排出通路（１８）の途中に配された中和処理器（８０）を備え、
前記中和処理器（８０）は、前記中和剤（Ｎ１）が充填される収容部（８５）を有し、前記酸性の未処理液（Ｄ１）が上部から流入し前記中和剤（Ｎ１）と反応して中和され、該中和された処理済み液（Ｄ２）が下部から流出する処理槽（８３）と、前記処理済み液（Ｄ２）が下部から流入して上部から流出するようにした処理済み槽（８４）と、前記未処理液（Ｄ１）あるいは前記処理済み液（Ｄ２）のｐＨ値を検出するための一対のｐＨセンサ（Ｓ１、Ｓ２）とを備え、
前記一対のｐＨセンサ（Ｓ１、Ｓ２）の一方は、前記未処理液（Ｄ１）のｐＨ値を検出するように配され、
前記一対のｐＨセンサ（Ｓ１、Ｓ２）の他方は、前記収容部（８５）の下端における前記ｐＨ値を検出し、該ｐＨ値と前記未処理液（Ｄ１）のｐＨ値とを比較することで前記中和剤（Ｎ１）が全て消費された完全消費状態であるか否かを判断することができるように配されていることを特徴とする熱交換装置（１０）。
【００１１】
［５］前記処理槽（８３）と前記処理済み槽（８４）とを交互にして連ねることで、前記未処理液（Ｄ１）を中和するための中和処理流路（８０ａ）を備え、
前記中和処理流路（８０ａ）は、上流側の処理槽（８３）から下流側の処理槽（８３）の順番に該処理槽（８３）に充填されている中和剤（Ｎ１）が消費されるように形成され、
前記一対のｐＨセンサ（Ｓ１、Ｓ２）の一方は、前記未処理液（Ｄ１）のｐＨ値を検出するように配され、
前記一対のｐＨセンサ（Ｓ１、Ｓ２）の他方は、最も下流側の処理槽（８３）に係る前記収容部（８５）の下端における前記ｐＨ値を検出し、該ｐＨ値と前記未処理液（Ｄ１）のｐＨ値とを比較することで、前記中和処理流路（８０ａ）における中和剤（Ｎ１）が全て消費された完全消費状態であるか否かを判断することができるように配されていることを特徴とする［２］に記載の中和処理器（８０）。
【００１２】
［６］前記一対のｐＨセンサ（Ｓ１、Ｓ２）の一方は、前記処理済み槽（８４）の上端部における前記ｐＨ値を検出するように配されていることを特徴とする［２］に記載の中和処理器（８０）。
【００１３】
［７］前記一対のｐＨセンサ（Ｓ１、Ｓ２）の一方は、前記処理槽（８３）の上端部における前記ｐＨ値を検出するように配されていることを特徴とする［１］または［２］に記載の中和処理器（８０）。
【００１４】
次に、中和処理器（８０）において、酸性の未処理液（Ｄ１）がどのように処理されるかについて説明する。酸性の未処理液（Ｄ１）が処理槽（８３）の上部から流入すると、処理槽（８３）内の中和剤（Ｎ１）と反応して中和される。中和された処理済み液（Ｄ２）の比重が未処理液（Ｄ１）の比重より大きいと、未処理液（Ｄ１）が中和されて処理済み液（Ｄ２）になるに応じて中和剤（Ｎ１）の中を徐々に下がっていき、処理槽（８３）の下部に下がった処理済み液（Ｄ２）は十分に処理されたものとなって、処理槽（８３）の下部から流出するようになる。
【００１５】
中和剤（Ｎ１）は、酸性の未処理液（Ｄ１）と反応し溶け込むことで消費され、収容部（８５）を満たしていた中和剤（Ｎ１）の高さは、消費されるに応じて、収容部（８５）の下端に向かって徐々に低くなっていく。収容部（８５）の下端においても中和剤（Ｎ１）が存在していない状態になると、中和剤（Ｎ１）が全て消費された完全消費状態になる。
【００１６】
次に、一対のｐＨセンサ（Ｓ１、Ｓ２）が未処理液（Ｄ１）あるいは処理済み液（Ｄ２）のｐＨ値をどのように検出し、その検出した結果に基づいてどのような判断をすることができるかについて説明する。
【００１７】
一対のｐＨセンサ（Ｓ１、Ｓ２）の一方は、未処理液（Ｄ１）のｐＨ値を検出するためのセンサであり、未処理液（Ｄ１）のｐＨ値を検出する場所であれば、何れの場所に配してもよい。一対のｐＨセンサ（Ｓ１、Ｓ２）の他方は、中和剤（Ｎ１）が充填される収容部（８５）の下端に配されている。一対のｐＨセンサ（Ｓ１、Ｓ２）がそれぞれ検出した両ｐＨ値が異なる場合に、一対のｐＨセンサ（Ｓ１、Ｓ２）の他方が検出するｐＨ値は、処理済み液（Ｄ２）のｐＨ値であることが判り、中和剤（Ｎ１）が収容部（８５）の下端に少なくとも存在していて、中和剤（Ｎ１）の全てが消費された完全消費状態でないことを判断することができる。反対に、一対のｐＨセンサ（Ｓ１、Ｓ２）がそれぞれ検出した両ｐＨ値が同じ場合に、一対のｐＨセンサ（Ｓ１、Ｓ２）の他方が検出するｐＨ値は、未処理液（Ｄ１）のｐＨ値であることが判り、収容部（８５）の下端に中和剤（Ｎ１）が存在してなく、中和剤（Ｎ１）の全てが消費された完全消費状態であることを判断することができる。
【００１８】
次に、処理済み液（Ｄ２）が下部から流入して上部から流出するようにした処理済み槽（８４）を備えたものでは、以下のように、酸性の未処理液（Ｄ１）が処理される。すなわち、酸性の未処理液（Ｄ１）が処理槽（８３）の上部から流入すると、処理槽（８３）内の中和剤（Ｎ１）と反応して中和される。中和された処理済み液（Ｄ２）の比重が未処理液（Ｄ１）の比重より大きいと、未処理液（Ｄ１）が中和されて処理済み液（Ｄ２）になるに応じて中和剤（Ｎ１）の中を徐々に下がっていき、処理槽（８３）の下部に下がった処理済み液（Ｄ２）は十分に処理されたものとなって、処理槽（８３）の下部から流出して、処理済み槽（８４）の下部に流入する。このように流入した処理済み液（Ｄ２）は、処理済み槽（８４）を満たしていき、やがて、処理済み槽（８４）の上部から流出するようになる。
【００１９】
この中和処理器（８０）において、中和剤（Ｎ１）が消費されていく状態は、前述した通りであり、中和剤（Ｎ１）が消費されるに応じて、収容部（８５）の下端に向かって徐々に低くなっていき、やがて、収容部（８５）の下端においても中和剤（Ｎ１）が存在していない完全消費状態になる。
【００２０】
次に、一対のｐＨセンサ（Ｓ１、Ｓ２）が未処理液（Ｄ１）あるいは処理済み液（Ｄ２）のｐＨ値をどのように検出し、その検出した結果に基づいてどのような判断をすることができるかについては、前述した通りである。すなわち、一対のｐＨセンサ（Ｓ１、Ｓ２）がそれぞれ検出した両ｐＨ値が異なる場合に、中和剤（Ｎ１）の全てが消費された完全消費状態でないことを判断することができる。反対に、一対のｐＨセンサ（Ｓ１、Ｓ２）がそれぞれ検出した両ｐＨ値が同じ場合に、中和剤（Ｎ１）の全てが消費された完全消費状態であることを判断することができる。
【００２１】
次に、燃料を燃焼させた際に排気中に酸性の水分が生じ、あるいは、燃料を燃焼させたときの排気の熱を吸収することで酸性の凝縮水が生じるような熱交換装置（１０）において、酸性の水分あるいは酸性の凝縮水である未処理液（Ｄ１）を中和剤（Ｎ１）で処理するようにした中和処理器（８０）を備えたものでは、熱交換装置（１０）で発生する未処理液（Ｄ１）を中和するための中和剤（Ｎ１）が全て消費された状態であるか否かを即座に判断することができるので、中和処理器（８０）に中和剤（Ｎ１）を即座に再充填したり、新たな中和処理器（８０）と即座に交換することができる。
【００２２】
次に、燃料に空気を混合して燃焼させた際に生じる排気の流れる排気経路内に、排気の顕熱を吸収して被加熱流体を加熱する一次熱交換器（４０）を配置し、さらに一次熱交換器（４０）よりも排気経路の下流側に排気の潜熱を回収する二次熱交換器（５０）を配置して成る熱交換装置（１０）において、二次熱交換器（５０）に生成する凝縮水である酸性の未処理液（Ｄ１）を中和するための中和処理器（８０）を備えたものでは、未処理液（Ｄ１）は以下のように処理される。
【００２３】
すなわち、未処理液（Ｄ１）はドレン受け（１４ａ）に溜められる。溜められた未処理液（Ｄ１）は、排出通路（１８）を通って排出される。排出通路（１８）の途中に中和処理器（８０）が配されているので、排出通路（１８）を通って排出された未処理液（Ｄ１）は中和処理器（８０）に流れる。
【００２４】
中和処理器（８０）において、未処理液（Ｄ１）が中和されるのは、前述した通りであり、酸性の未処理液（Ｄ１）が処理槽（８３）の上部から流入すると、処理槽（８３）内の中和剤（Ｎ１）と反応して中和される。未処理液（Ｄ１）が中和剤（Ｎ１）と反応し中和されるに応じて中和剤（Ｎ１）の中を徐々に下がっていき、処理済み液（Ｄ２）となる。処理済み液（Ｄ２）は処理槽（８３）の下部から処理済み槽（８４）に流入し、処理済み液（Ｄ２）は、処理済み槽（８４）の下部から流入して処理済み槽（８４）を満たしていき、処理済み槽（８４）の上部から流出するようになる。処理済み槽（８４）の上部から流出した処理済み液（Ｄ２）は、再び排出通路（１８）を通って排出されるようになる。
【００２５】
次に、このような中和処理器（８０）を備えた熱交換装置（１０）において、一対のｐＨセンサ（Ｓ１、Ｓ２）が未処理液（Ｄ１）あるいは処理済み液（Ｄ２）のｐＨ値をどのように検出し、その検出した結果に基づいてどのような判断をすることができるかについて説明する。
【００２６】
一対のｐＨセンサ（Ｓ１、Ｓ２）の一方は、未処理液（Ｄ１）のｐＨ値を検出するためのセンサであり、未処理液（Ｄ１）のｐＨ値を検出する場所であれば、何れの場所に配してもよく、例えば、ドレン受け（１４ａ）、中和処理器（８０）より上流側の排出通路（１８）あるいは、未処理液（Ｄ１）が流入する処理槽（８３）の上部に配される。一対のｐＨセンサ（Ｓ１、Ｓ２）の他方は、前述したように、中和剤（Ｎ１）が充填される収容部（８５）の下端に配されている。このように一対のｐＨセンサ（Ｓ１、Ｓ２）をそれぞれ配することで、一対のｐＨセンサ（Ｓ１、Ｓ２）がそれぞれ検出した両ｐＨ値が異なる場合に、中和剤（Ｎ１）の全てが消費された完全消費状態でないことを判断することができる。反対に、一対のｐＨセンサ（Ｓ１、Ｓ２）がそれぞれ検出した両ｐＨ値が同じ場合に、中和剤（Ｎ１）の全てが消費された完全消費状態であることを判断することができる。
【００２７】
次に、処理槽（８３）と処理済み槽（８４）とを交互にして連ねることで、未処理液（Ｄ１）を中和するための中和処理流路（８０ａ）を備えたものでは、未処理液（Ｄ１）が上流側の処理槽（８３）内の中和剤（Ｎ１）と反応して中和され処理済み液（Ｄ２）になると、その処理済み液（Ｄ２）が上流側の処理済み槽（８４）に流入し、上流側の処理済み槽（８４）から下流側の処理槽（８３）に流入する。処理済み液（Ｄ２）は、下流側の処理槽（８３）に流入しても、下流側の処理槽（８３）内の中和剤（Ｎ１）と反応することなく、下流側の処理済み槽（８４）に流れるようになる。このようにして、上流側の処理槽（８３）で中和された処理済み液（Ｄ２）は、下流側にある何れの処理槽（８３）内の中和剤（Ｎ１）と反応することなく、最も下流側の処理済み槽（８４）から排出されるようになる。
【００２８】
しかし、上流側の処理槽（８３）内の中和剤（Ｎ１）が完全に消費されると、未処理液（Ｄ１）は中和されないまま、上流側の処理槽（８３）の下部から上流側の処理済み槽（８４）の下部に流入する。あるいは、中和剤（Ｎ１）の残量が少ないと、未処理液（Ｄ１）は十分に中和されないまま、上流側の処理槽（８３）の下部から上流側の処理済み槽（８４）の下部に流入する。上流側の処理済み槽（８４）に流入した未処理液（Ｄ１）は、既に上流側の処理済み槽（８４）に溜まっている処理済み液（Ｄ２）より比重が小さいので、処理済み液（Ｄ２）に押し上げられて上流側の処理済み槽（８４）の上部に浮上し、上流側の処理済み槽（８４）の上部から下流側の処理槽（８３）の上部に流入するようになる。このように、上流側の処理槽（８３）で十分に中和されないままの未処理液（Ｄ１）は、下流側の処理槽（８３）内の中和剤（Ｎ１）と反応して中和され処理済み液（Ｄ２）となって、下流側の処理槽（８３）の下部から下流側の処理済み槽（８４）の下部に流れるようになる。したがって、各処理槽（８３）に充填された中和剤（Ｎ１）は上流側の処理槽（８３）から下流側の処理槽（８３）の順番に消費されるようになる。すなわち、中和処理流路（８０ａ）中の処理槽（８３）に充填された中和剤（Ｎ１）は、全て無駄なく消費される。
【００２９】
このような中和処理流路（８０ａ）において、一対のｐＨセンサ（Ｓ１、Ｓ２）が未処理液（Ｄ１）あるいは処理済み液（Ｄ２）のｐＨ値をどのように検出し、その検出した結果に基づいてどのような判断をすることができるかについて説明する。一対のｐＨセンサ（Ｓ１、Ｓ２）の一方は、前述したように、未処理液（Ｄ１）のｐＨ値を検出するためのセンサであり、未処理液（Ｄ１）のｐＨ値を検出する場所であれば、何れの場所に配してもよく、好ましくは、例えば、未処理液（Ｄ１）が流入する最も上流側の処理槽（８３）の上部あるいは、最も上流側の処理槽（８３）の上部の上流側に配される。一対のｐＨセンサ（Ｓ１、Ｓ２）の他方は、最も下流側の処理槽（８３）に係る収容部（８５）の下端に配されている。
【００３０】
このように一対のｐＨセンサ（Ｓ１、Ｓ２）をそれぞれ配することで、一対のｐＨセンサ（Ｓ１、Ｓ２）がそれぞれ検出した両ｐＨ値が異なる場合に、最も下流の処理槽（８３）に係る収容部（８５）の下端において少なくとも中和剤（Ｎ１）が存在している状態、すなわち、中和処理流路（８０ａ）において、中和剤（Ｎ１）の全てが消費された完全消費状態でないことを判断することができる。反対に、一対のｐＨセンサ（Ｓ１、Ｓ２）がそれぞれ検出した両ｐＨ値が同じ場合に、最も下流の処理槽（８３）に係る収容部（８５）の下端においても中和剤（Ｎ１）が存在していない状態、すなわち、中和処理流路（８０ａ）において、中和剤（Ｎ１）の全てが消費された状態であることを判断することができる。
【００３１】
次に、一対のｐＨセンサ（Ｓ１、Ｓ２）の一方が処理済み槽（８４）の上端部におけるｐＨ値を検出するように配されているものでは、一方のｐＨセンサが検出する処理済み槽（８４）の上端部におけるｐＨ値は、以下のように変化する。すなわち、処理槽（８３）内に中和剤（Ｎ１）が存在しているとき、未処理液（Ｄ１）が処理槽（８３）内の中和剤（Ｎ１）と反応して中和され処理済み液（Ｄ２）になると、その処理済み液（Ｄ２）が処理槽（８３）の下部から処理済み槽（８４）の下部に流入し、処理済み槽（８４）の上部から流出するようになる。したがって、処理済み槽（８４）の上端部におけるｐＨ値は、処理済み液（Ｄ２）のｐＨ値になる。
【００３２】
しかし、処理槽（８３）内の中和剤（Ｎ１）が完全に消費されているとき、未処理液（Ｄ１）は中和されないまま、処理槽（８３）の下部から処理済み槽（８４）の下部に流入する。処理済み槽（８４）に流入した未処理液（Ｄ１）は、既に処理済み槽（８４）に溜まっている処理済み液（Ｄ２）より比重が小さいので、処理済み液（Ｄ２）に押し上げられて処理済み槽（８４）の上部に浮上し、処理済み槽（８４）の上部から流出するようになる。したがって、処理済み槽（８４）の上端部におけるｐＨ値は、未処理液（Ｄ１）のｐＨ値になる。
【００３３】
前述したように、一対のｐＨセンサ（Ｓ１、Ｓ２）の他方は、収容部（８５）の下端に配されていて、中和剤（Ｎ１）が完全に消費された完全消費状態であるか否かを検出するものであるから、一対のｐＨセンサ（Ｓ１、Ｓ２）の他方が検出したｐＨ値と、前記処理済み槽（８４）の上端部におけるｐＨ値とを比較して、両方のｐＨ値が同じ場合に、中和剤（Ｎ１）が完全消費状態であることが確実に判るようになる。
【００３４】
次に、一対のｐＨセンサ（Ｓ１、Ｓ２）の一方が処理槽（８３）の上端部におけるｐＨ値を検出するように配されているものでは、その一方のｐＨセンサにより、処理槽（８３）の上端部における未処理液（Ｄ１）のｐＨ値を検出することができる。その一方のｐＨセンサと、処理槽（８３）に係る収容部（８５）の下端におけるｐＨ値を検出するためのｐＨセンサとは、共に、中和処理器（８０）内の未処理液（Ｄ１）あるいは処理済み液（Ｄ２）を検出するためのものであるから、中和処理器（８０）とｐＨセンサとを一体的に取り扱うことができる。ｐＨセンサを予め中和処理器（８０）に組み付けておけば、中和処理器（８０）を例えば熱交換装置（１０）に組み付けるときに、ｐＨセンサも組み付けることができ、ｐＨセンサの組付性がよくなる。
【発明の効果】
【００３５】
本発明に係る中和処理器によれば、一対のｐＨセンサの一方を未処理液のｐＨ値を検出するように配し、一対のｐＨセンサの他方を中和剤が充填される収容部の下端におけるｐＨ値を検出するように配したので、一対のｐＨセンサがそれぞれ検出した両ｐＨ値が異なる場合に、一対のｐＨセンサの他方が検出するｐＨ値は、処理済み液のｐＨ値であることが判り、反対に、一対のｐＨセンサがそれぞれ検出した両ｐＨ値が同じ場合に、一対のｐＨセンサの他方が検出するｐＨ値は、未処理液のｐＨ値であることが判り、収容部の下端に中和剤が存在してなく、中和剤の全てが消費された完全消費状態であることを判断することができる。
【００３６】
また、燃料を燃焼させた際に排気中に酸性の水分が生じ、あるいは、燃料を燃焼させたときの排気の熱を吸収することで酸性の凝縮水が生じるような熱交換装置に中和処理器を備えたので、熱交換装置で発生する未処理液を中和するための中和剤が全て消費された状態であるか否かを即座に判断することができ、中和処理器に中和剤を即座に再充填したり、新たな中和処理器と即座に交換することができる。
【００３７】
さらに、処理槽と処理済み槽とを交互にして連ねることで、未処理液を中和するための中和処理流路を備え、各処理槽に充填された中和剤を上流側の処理槽から下流側の処理槽の順番に消費されるようにし、一対のｐＨセンサの一方を未処理液のｐＨ値を検出するようにし、一対のｐＨセンサの他方を最も下流側の処理槽に係る収容部の下端に配したので、一対のｐＨセンサがそれぞれ検出した両ｐＨ値が異なる場合に、最も下流の処理槽に係る収容部の下端において少なくとも中和剤が存在している状態、すなわち、中和処理流路において、中和剤の全てが消費された完全消費状態でないことを判断することができる。反対に、一対のｐＨセンサがそれぞれ検出した両ｐＨ値が同じ場合に、最も下流の処理槽に係る収容部の下端においても中和剤が存在していない状態、すなわち、中和処理流路において、中和剤の全てが消費された状態であることを判断することができる。
【００３８】
さらに、一対のｐＨセンサの一方が処理済み槽の上端部におけるｐＨ値を検出するように配されているので、処理槽内の中和剤が完全に消費されていると、未処理液は中和されないまま、処理槽の下部から処理済み槽の下部に流入し、処理済み槽の上部から流出するようになり、処理済み槽の上端部におけるｐＨ値は、未処理液のｐＨ値になる。一対のｐＨセンサの他方は、中和剤が完全に消費された完全消費状態であるか否かを検出するものであるから、一対のｐＨセンサがそれぞれ検出した両ｐＨ値が同じ場合に、中和剤が完全消費状態であることが確実に判るようになる。
【００３９】
さらに、一対のｐＨセンサの一方が処理槽の上端部におけるｐＨ値を検出するように配され、一対のｐＨセンサの他方は、処理槽に係る収容部の下端におけるｐＨ値を検出するように配されているから、中和処理器とｐＨセンサとを一体的に取り扱うことができ、例えば熱交換装置に一体的に組み付けることができ、組付性がよくなる。
【発明を実施するための最良の形態】
【００４０】
以下、図面に基づき本発明を代表する各種実施の形態を説明する。  
図１および図２は本発明の第１実施の形態を示している。  
本実施の形態に係る熱交換装置１０は、強制排気（ＦＥ）式の給湯器に適用したものである。ここで給湯器の種類は、湯沸器や風呂給湯器あるいは給湯暖房機として単独で用いられるものに限らず、これらを適宜組み合わせたものに対応して複数用いられるものであってもよい。
【００４１】
図２に示すように、熱交換装置１０は、ハウジング１１内に燃焼室１２を備えており、該燃焼室１２の下部には、バーナー１３が配設されている。燃焼室１２内において、その下部にあるバーナー１３から燃焼室１２の上部にある排気フード１６に至る空間に排気経路が形成される。
【００４２】
かかる排気経路内において、バーナー１３の上方には、排気の顕熱を回収する一次熱交換器４０が配置され、さらにその上方には排気の潜熱を回収する二次熱交換器５０が配置されている。ここで二次熱交換器５０は、一次熱交換器４０よりも排気経路の下流側に位置する。
【００４３】
一次熱交換器４０と二次熱交換器５０の間には、二次熱交換器５０で生成した凝縮水を受け止め、該凝縮水が一次熱交換器４０の上に落下することを防止するための受け皿１４が取り付けられている。受け皿１４は、燃焼室１２を図３中の左端一部を除いて上下に仕切るものであり、一次熱交換器４０を経由した後の排気は、受け皿１４のない燃焼室１２左端の開口部１５を通じて二次熱交換器５０の配置されている排気フード１６に流れ込むようになっている。
【００４４】
受け皿１４は、開口部１５側から燃焼室１２の右端側に向けて下り傾斜しており、傾斜の下端部分には、受け皿１４によって回収された凝縮水を一時的に溜めるドレン受け１４ａが設けられている。ドレン受け１４ａの底部には、凝縮水の排出通路１８が接続され、該排出通路１８の途中には、酸性の凝縮水を中和するための中和処理器８０が取り付けられている。中和処理器８０には、例えば炭酸カルシウムが入っており酸性の凝縮水を中和する。中和処理器８０の詳細な構成については後述する。
【００４５】
燃焼室１２の左下方には、燃料に混合する燃焼用の空気をバーナー１３に向けて送り込むための給気ファン３０が配設されている。給気ファン３０は、燃焼室１２の底部に連通するように取り付けられたケーシング３１に収納されており、該ケーシング３１内に給気経路が形成される。なお、ハウジング１１の適所には、空気を取り込むための給気口１１ａが開設されている。
【００４６】
バーナー１３には、燃焼ガスを供給するためのガス供給管２１の先端が臨むように配置されており、該ガス供給管２１の途中には、燃焼ガスの供給をオンオフ制御するガス電磁弁２２と、元ガス電磁弁２３と、それにバーナー１３へ供給する燃焼ガスの供給量を調整するガス比例弁２４が取り付けられている。
【００４７】
ハウジング１１内において二次熱交換器５０の下流側へ排出された排気は、排気経路の下流端を成す排気フード１６に連通された排気延長経路１７から屋外へ排出されるようになっている。排気延長経路１７は、その始端側が排気フード１６の終端側に一体に接続されており、ハウジング１１が配置された室内の所定箇所から天井裏ないしパイプスペースに沿って、外気に開放する屋外まで延び出るように配設されている。
【００４８】
二次熱交換器５０の入側には、給水された水（被加熱流体）が流入する給水管路６１が接続され、二次熱交換器５０の出側は、連結管路６２によって一次熱交換器４０の入側と接続されている。また、一次熱交換器４０の出側には、加熱後の給水の流れ出る給湯管路６３が接続されている。
【００４９】
給水管路６１の入口部近傍には、供給される給水の温度を検知するための入水サーミスタ６４が、またその下流側には、通水の有無や通水量を検知するための水量センサ６５が取り付けられている。給湯管路６３には、その出口部近傍に、出湯される湯の温度を検知するための出湯サーミスタ６６が、またその下流側には、出湯される湯の流量を制限するための水量制御弁６７が設けられている。
【００５０】
また、熱交換装置１０は、その動作を統括制御するための各種回路部品を収めた制御基板７０を有しており、該制御基板７０には、例えば、台所等に配置され、湯温の設定操作等の受け付けや、各種の状態表示を行うリモコン７１が接続されている。
【００５１】
次に、図１に基づいて、中和処理器８０の詳細な構成について説明する。図１に示すように、中和処理器８０は、中和剤Ｎ１が充填されていて、酸性の未処理液Ｄ１が上部から流入し中和剤Ｎ１と反応して中和され、中和された処理済み液Ｄ２が下部から流出する処理槽８３と、処理済み液Ｄ２が下部から流入して上部から流出するようにした処理済み槽８４とを備えている。
【００５２】
処理槽８３は、その処理槽８３の容積が処理済み槽８４の容積より大きくなるように形成されている。本実施の形態では、処理済み槽８４の容積を最小なものにして、反対に、処理槽８３の容積を大きくして、十分な量の中和剤Ｎ１を充填することができるものにしている。
【００５３】
処理槽８３は、その処理槽８３の上段部にあって未処理液Ｄ１を中和するための中和剤Ｎ１が充填される上段処理槽である収容部８５および、その収容部８５と本体容器８１の底部８１ｂとの間の槽であり、中和剤Ｎ１が充填されないで、処理済み液Ｄ２と、未処理液Ｄ１を中和する際に生じる沈殿物Ｄ３とが溜まる下段処理槽である非収容部８６とを備えている。収容部８５と非収容部８６との間にはパンチングメタル９１が配されている。パンチングメタル９１は、中和剤Ｎ１を通さない程度の小孔が多数穿設されたものである。
【００５４】
中和処理器８０の本体である本体容器８１の内部は、仕切壁８２によって処理槽８３と処理済み槽８４とに仕切られている。仕切壁８２は、処理済み液Ｄ２が処理槽８３の下部から処理済み槽８４の下部へ流れるようにした連通口８７が開設されている。連通口８７は、未処理液Ｄ１を中和する際に生じて処理槽８３に溜まる沈殿物Ｄ３で連通口８７が塞がらない程度の低い位置に配されている。
【００５５】
また、本体容器８１の天井部８１ａには、未処理液Ｄ１が流れ込むための流入口８１ｃが開設されている。処理済み槽８４は、外筒である仕切壁８２と内筒である排出用筒部８９との間の隙間に形成された槽であり、処理済み槽８４の上端部は、排出用筒部８９の筒上口８９ａに通じており、処理済み液Ｄ２は、排出用筒部８９を通って、筒下口８９ｂから流れるように成っている。
【００５６】
図１は、略箱形の本体容器８１を前記排出用筒部８９の筒軸に沿って破断したものである。図１に示すように、天井部８１ａを含む上部容器８１ｄと、底部８１ｂを含む下部容器８１ｅとを上下で重ね合わせて成る。上部容器８１ｄの外周フランジ８１ｆと、下部容器８１ｅの外周フランジ８１ｇとが重ね合わされ、図示省略したビスで締結している。上部容器８１ｄは、仕切壁８２が一体的に形成されている。下部容器８１ｅは、排出用筒部８９が一体的に形成されている。
【００５７】
また、中和処理器８０は、未処理液Ｄ１あるいは処理済み液Ｄ２のｐＨ値を検出するための一対のｐＨセンサＳ１、Ｓ２を備えている。一対のｐＨセンサＳ１、Ｓ２の一方のセンサＳ１は、未処理液Ｄ１のｐＨ値を検出するためのセンサであり、未処理液Ｄ１のｐＨ値を検出する場所であれば、何れの場所に配してもよい。本実施の形態では、一方のセンサＳ１は、処理済み槽８４の上端部におけるｐＨ値を検出するように配されている。他方のセンサＳ２は、中和剤Ｎ１が充填される収容部８５の下端に配されている。
【００５８】
次に、熱交換装置１０において、排気の熱がどのように吸収されるかについて説明する。バーナー１３からの熱は、先ずバーナー１３の近傍に配置された一次熱交換器４０によって吸収される。すなわち、一次熱交換器４０では、加熱された排気の顕熱が主として吸収される。一次熱交換器４０によって顕熱の回収された排気は、開口部１５を通って二次熱交換器５０に到達する。
【００５９】
二次熱交換器５０に到達した排気は、２００℃〜２５０℃程度までその温度が低下しているので、二次熱交換器５０は主として排気の潜熱を回収する。なお、潜熱回収時に二次熱交換器５０に結露した凝縮水は、図２において、二次熱交換器５０から落下して受け皿１４に受け止められ、ドレン受け１４ａ、排出通路１８、中和処理器８０を通じて排出される。中和処理器８０において、凝縮水である未処理液Ｄ１がどのように処理されるかは後述する。
【００６０】
図２に示すように、給水管路６１から給水することで、該給水管路６１から二次熱交換器５０内に入る水と、一次熱交換器４０の下流側へ排出される排気の潜熱とが熱交換されて、給水直後の水温をある程度上昇させることができる。二次熱交換器５０に到達した排気が比較的低い温度であっても、給水との温度差が大きく、効率良く排気の熱を吸収することができる。
【００６１】
二次熱交換器５０で熱交換された低温の湯は、連結管路６２を通って今度は一次熱交換器４０内に入ることで、バーナー１３からの顕熱と熱交換されるため、一次熱交換器４０に続く給湯管路６３から高温の湯を供給することができる。高温の湯は、給湯以外にも例えば、風呂の湯沸かしや暖房等に適宜用いられる。
【００６２】
次に、凝縮水である未処理液Ｄ１がどのように中和処理器８０に流れ、中和処理器８０でどのように処理されるかについて説明する。図１に示すように、未処理液Ｄ１はドレン受け１４ａに溜められる。溜められた未処理液Ｄ１は、排出通路１８を通って排出される。排出通路１８の途中に中和処理器８０が配されているので、排出通路１８を通って排出された未処理液Ｄ１は中和処理器８０に流れる。
【００６３】
酸性の未処理液Ｄ１が流入口８１ｃを通って処理槽８３の上部から流入すると、処理槽８３に充填されている中和剤Ｎ１と反応して中和される。中和された処理済み液Ｄ２の比重は未処理液Ｄ１の比重より大きいから、未処理液Ｄ１が中和剤Ｎ１と反応し中和され、処理済み液Ｄ２となって、中和剤Ｎ１の中を徐々に下がっていく。やがて、処理済み液Ｄ２は収容部８５からパンチングメタル９１を通って処理槽８３の下部である非収容部８６に下がり、処理済み液Ｄ２は非収容部８６から連通口８７を通り、処理済み槽８４の下部から流入し、処理済み槽８４を満たしていく。図１（ａ）に示すように、処理済み槽８４が処理済み液Ｄ２で既に満たされていると、処理済み液Ｄ２が、処理済み槽８４の上部である排出用筒部８９の筒上口８９ａから流出するようになる。処理済み槽８４の上部から流出した処理済み液Ｄ２は、排出用筒部８９の筒下口８９ｂから再び排出通路１８を通って排出されるようになる。
【００６４】
図１（ｂ）に示すように、収容部８５に充填された中和剤Ｎ１が全て消費された完全消費状態になると、図１（ｃ）に示すように、未処理液Ｄ１が中和剤Ｎ１と反応せず中和されないまま非収容部８６から連通口８７を通り処理済み槽８４の下部に流入し、処理済み槽８４内の処理済み液Ｄ２に押し上げられて浮上し、処理済み槽８４の上部から流出するようになる。すなわち、収容部８５に充填された中和剤Ｎ１が完全消費状態になって始めて、処理済み槽８４の上部から未処理液Ｄ１が流出するようになる。
【００６５】
次に、一対のｐＨセンサＳ１、Ｓ２が未処理液Ｄ１あるいは処理済み液Ｄ２のｐＨ値をどのように検出し、その検出した結果に基づいてどのような判断をすることができるかについて説明する。一対のｐＨセンサＳ１、Ｓ２の一方のセンサＳ１は、処理済み槽８４の上部におけるｐＨ値を検出するためのセンサであり、中和剤Ｎ１が完全消費状態でなければ、処理済み槽８４の上部から流出する処理済み液Ｄ２のｐＨ値を検出する。中和剤Ｎ１が完全消費状態になると、処理済み槽８４の上部から流出する未処理液Ｄ１のｐＨ値を検出する。
一対のｐＨセンサＳ１、Ｓ２の他方のセンサＳ２は、中和剤Ｎ１が充填される収容部８５の下端に配されているので、中和剤Ｎ１の量が十分であれば、処理済み液Ｄ２のｐＨ値を検出する。また、中和剤Ｎ１の量が不足してくると、未処理液Ｄ１のｐＨ値に近いｐＨ値を検出する。さらに、中和剤Ｎ１が完全消費状態になると、未処理液Ｄ１のｐＨ値を検出する。
【００６６】
このようにして、一対のｐＨセンサＳ１、Ｓがそれぞれ検出した両ｐＨ値が少しでも異なっている場合に、一対のｐＨセンサＳ１、Ｓ２の他方のセンサＳ２が検出するｐＨ値は、処理済み液Ｄ２のｐＨ値であることが判り、中和剤Ｎ１が収容部８５の下端に少なくとも存在していて、中和剤Ｎ１の全てが消費された完全消費状態でないことを判断することができる。反対に、一対のｐＨセンサＳ１、Ｓ２がそれぞれ検出した両ｐＨ値が同じ場合に、一対のｐＨセンサＳ１、Ｓ２の他方のセンサＳ２が検出するｐＨ値は、未処理液Ｄ１のｐＨ値であることが判り、収容部８５の下端に中和剤Ｎ１が存在してなく、中和剤Ｎ１の全てが消費された完全消費状態であることを判断することができる。
【００６７】
図３は本発明の第２実施の形態を示している。第２実施の形態においては、一対のｐＨセンサＳ１、Ｓ２の一方のセンサＳ１は、処理槽８３の上端部におけるｐＨ値を検出するように配されていて、処理槽８３の上端部に流入する未処理液Ｄ１のｐＨ値を検出する。他方のセンサＳ２は、処理槽８３の収容部８５の下端におけるｐＨ値を検出するので、一対のｐＨセンサＳ１、Ｓ２がそれぞれ検出した両ｐＨ値が少しでも異なっている場合に、他方のセンサＳ２が検出するｐＨ値は、処理済み液Ｄ２のｐＨ値であることが判る。反対に、一対のｐＨセンサＳ１、Ｓ２がそれぞれ検出した両ｐＨ値が同じ場合に、他方のセンサＳ２が検出するｐＨ値は、未処理液Ｄ１のｐＨ値であることが判り、中和剤Ｎ１の全てが消費された完全消費状態であることを判断することができる。
【００６８】
一方のｐＨセンサＳ１と、処理槽８３の収容部８５の下端におけるｐＨ値を検出するためのｐＨセンサＳ２とは、共に、中和処理器８０内の未処理液Ｄ１あるいは処理済み液Ｄ２を検出するためのものであるから、中和処理器８０とｐＨセンサＳ１、Ｓ２とを一体的に取り扱うことができる。ｐＨセンサＳ１、Ｓ２を予め中和処理器８０に組み付けておけば、中和処理器８０を熱交換装置１０に組み付けるときに、ｐＨセンサＳ１、Ｓ２も組み付けることができる。
【００６９】
図４は本発明の第３実施の形態を示している。第３実施の形態に係る中和処理器８０は、処理槽８３と処理済み槽８４とを交互にして連ねることで、未処理液Ｄ１を中和するための中和処理流路８０ａを備えたものである。中和処理流路８０ａは、上流側の処理槽８３から下流側の処理槽８３の順番に処理槽８３に充填されている中和剤Ｎ１が消費されるように形成されている。
【００７０】
第３実施の形態によれば、未処理液Ｄ１が上流側の処理槽８３内の中和剤Ｎ１と反応して中和され処理済み液Ｄ２になると、その処理済み液Ｄ２が上流側の処理済み槽８４から下流側の処理槽８３に流入しても、既に中和されているので、下流側の処理槽８３内の中和剤Ｎ１と反応することなく、下流側の処理済み槽８４に流れるようになる。一方、上流側の処理槽８３内の中和剤Ｎ１が完全に消費された完全消費状態であると、未処理液Ｄ１は中和されないまま、上流側の処理槽８３の下部から上流側の処理済み槽８４の下部に流入する。あるいは、上流側の処理槽８３内の中和剤Ｎ１が少ないと、未処理液Ｄ１は十分に中和されないまま、上流側の処理槽８３の下部から処理済み槽８４の下部に流入する。
【００７１】
上流側の処理済み槽８４に流入した未処理液Ｄ１は、上流側の処理済み槽８４に既に溜まっている処理済み液Ｄ２に押し上げられて浮上し、上流側の処理済み槽８４から下流側の処理槽８３に流入するようになる。このように、中和されない未処理液Ｄ１あるいは、十分に中和されない未処理液Ｄ１は、下流側の処理槽８３内の中和剤Ｎ１と反応して中和され処理済み液Ｄ２となって、下流側の処理済み槽８４に流れるようになる。したがって、中和剤Ｎ１は上流側の処理槽８３から下流側の処理槽８３の順番に消費されるようになる。すなわち、中和処理流路８０ａ中の上流側から下流側の各処理槽８３にそれぞれ充填された中和剤Ｎ１は、全て無駄なく消費されるようになる。
【００７２】
図４（ａ）に示す中和処理流路８０ａにおいては、一対のｐＨセンサＳ１、Ｓ２の一方のセンサＳ１は、未処理液Ｄ１が流入する最も上流側の処理槽８３の上部に配される。一対のｐＨセンサＳ１、Ｓ２の他方のセンサＳ２は、最も下流側の処理槽８３に係る収容部８５の下端に配されている。このように一対のｐＨセンサＳ１、Ｓ２をそれぞれ配することで、一対のｐＨセンサＳ１、Ｓ２がそれぞれ検出した両ｐＨ値が異なる場合に、最も下流の処理槽８３に係る収容部８５の下端において少なくとも中和剤Ｎ１が存在している状態であり、中和処理流路８０ａにおいて、中和剤Ｎ１の全てが消費された完全消費状態でないことを判断することができる。反対に、一対のｐＨセンサＳ１、Ｓ２がそれぞれ検出した両ｐＨ値が同じ場合に、中和処理流路８０ａにおいて、中和剤Ｎ１の全てが消費された完全消費状態であることを判断することができる。
【００７３】
一対のｐＨセンサＳ１、Ｓ２の一方のセンサＳ１は、前述したように、最も上流側の処理槽８３の上部に配される必要はなく、例えば、図４（ｂ）に示すように、未処理液Ｄ１が流入する最も下流側の処理槽８３の上部に配されるようにしてもよい。一対のｐＨセンサＳ１、Ｓ２がそれぞれ検出した両ｐＨ値が異なるようになると、上流側の処理槽８３に係る収容部８５が完全消費状態になっているが、最も下流側の処理槽８３に係る収容部８５の下端において少なくとも中和剤Ｎ１が存在している状態であり、中和処理流路８０ａにおいて、中和剤Ｎ１の全てが消費された完全消費状態でないことを判断することができる。反対に、一対のｐＨセンサＳ１、Ｓ２がそれぞれ検出した両ｐＨ値が同じ場合に、最も下流側の処理槽８３においても、中和剤Ｎ１の全てが消費された完全消費状態であることを判断することができる。
【００７４】
以上、本発明の各種実施の形態を図面によって説明してきたが、具体的な構成はこれらの実施の形態に限られるものではなく、本発明の要旨を逸脱しない範囲における変更や追加があっても本発明に含まれる。例えば、図４に示す中和処理流路８０ａにおいて、各処理槽８３に未処理液Ｄ１のｐＨ値を検出するためのｐＨセンサＳ１をそれぞれ配し、ｐＨセンサＳ１が未処理液Ｄ１のｐＨ値を検出することで、それより上流側の処理槽８３において中和剤Ｎ１が完全消費状態になったことを判断できるようにしてもよい。
【００７５】
また、前記各実施の形態では、燃料に空気を混合して燃焼させた際に生じる排気の潜熱を回収する際に生じる凝縮水である酸性の未処理液Ｄ１を中和する中和処理器を備えたガス給湯器を例に説明したが、燃料は、石油や灯油等でもよく、また適用する器具は、風呂の湯沸かしや暖房等を行うものであってもよい。また、燃料を燃焼させた際に排気中に酸性の水分が生じるようなヒートポンプに、その酸性の水分である未処理水を中和するための中和処理器を備えるようにしてもよい。以上のような器具やヒートポンプに中和処理器を備えることで、中和剤Ｎ１が全て消費された完全消費状態であるか否かを即座に判断することができるので、中和処理器８０に中和剤Ｎ１を即座に再充填したり、新たな中和処理器８０と即座に交換することができる。
【図面の簡単な説明】
【００７６】
【図１】本発明の第１実施の形態に係る中和処理器を概念的に示す断面図であり、（ａ）は処理槽に中和剤が多少残っている状態、（ｂ）は中和剤が完全に消費された状態、（ｃ）は処理槽から処理済み槽の下部に流入した未処理液が、処理済み槽の上部から流出する状態を示す図である。
【図２】本発明の第１実施の形態に係る熱交換装置の全体構成を示す説明図である。
【図３】本発明の第２実施の形態に係る中和処理器を概略的に示す断面図であり、（ａ）は処理槽に中和剤が多少残っている状態、（ｂ）は中和剤が完全に消費された状態、（ｃ）は処理槽から処理済み槽の下部に流入した未処理液が、処理済み槽の上部から流出する状態を示す図である。
【図４】本発明の第３実施の形態に係る中和処理器を概略的に示す断面図であり、処理槽と処理済み槽とを交互にして連ねることで構成した中和処理流路を示す図である。
【符号の説明】
【００７７】
Ｄ１…未処理液
Ｄ２…処理済み液
Ｄ３…沈殿物
Ｎ１…中和剤
Ｓ１、Ｓ２…ｐＨセンサ
１０…熱交換装置
１１…ハウジング
１１ａ…給気口
１２…燃焼室
１３…バーナー
１４…受け皿
１４ａ…ドレン受け
１５…開口部
１６…排気フード
１７…排気延長経路
１８…排出通路
２１…ガス供給管
２２…ガス電磁弁
２３…元ガス電磁弁
２４…ガス比例弁
３０…給気ファン
３１…ケーシング
４０…一次熱交換器
５０…二次熱交換器
６１…給水管路
６２…連結管路
６３…給湯管路
６４…入水サーミスタ
６５…水量センサ
６６…出湯サーミスタ
６７…水量制御弁
７０…制御基板
７１…リモコン
８０…中和処理器
８０ａ…中和処理流路
８１…本体容器
８１ａ…天井部
８１ｂ…底部
８１ｃ…流入口
８１ｄ…上部容器
８１ｅ…下部容器
８１ｆ、８１ｇ…外周フランジ
８２…仕切壁
８３…処理槽
８４…処理済み槽
８５…収容部
８６…非収容部
８７…連通口
８８…閉塞防止用溝
８９…排出用筒部
８９ａ…筒上口
８９ｂ…筒下口
９１…パンチングメタル
【図１】
2005087823.tif 000003
【図２】
2005087823.tif 000004
【図３】
2005087823.tif 000005
【図４】
2005087823.tif 000006